(57)【要約】【課題】外壁材を取り付けた後にサッシ枠の取付が行えるサッシ枠の取付構造及び取付方法を提供することによりサッシ枠の取付構造及び取付方法の生産性を向上させること。【解決手段】下地壁パネル１と外装材９とからなる二重壁の開口部３に取り付けたサッシ枠１２ａ、１２ｂの取付構造である。外装材９を下地壁パネル１よりも後退させて配置することにより形成されたサッシ枠１２ａ、１２ｂを固定するための固定面１１と、固定面１１に取り付けられたサッシ枠１２ａ、１２ｂと、サッシ枠１２ａ、１２ｂと外装材９とに跨って固定された化粧部材１７ａ、１７ｂとから構成される。サッシ枠１２ａ、１２ｂと固定面１１との間に水密材１４が介在されることが好ましい。【選択図】図３
2004346667.tif 000002
【特許請求の範囲】
【請求項１】
下地壁パネルと外装材とからなる二重壁の開口部に取り付けたサッシ枠の取付構造であって、
前記外装材を前記下地壁パネルよりも後退させて配置することにより形成されたサッシ枠を固定するための固定面と、
該固定面に取り付けられた前記サッシ枠と、
該サッシ枠と前記外装材とに跨って固定された化粧部材とからなることを特徴とするサッシ枠の取付構造。
【請求項２】
前記サッシ枠と前記固定面との間には、前記サッシ枠の周囲から雨水が浸入することを防止する水密材が介在されていることを特徴とする請求項１記載のサッシ枠の取付構造。
【請求項３】
下地壁パネルと外装材とからなる二重壁の開口部にサッシ枠を取り付けるサッシ枠の取付方法であって、
前記外装材を前記開口部に向けて前記下地壁パネルよりも後退させて配置することにより屋外側に向けて開放された固定面を形成させ、
該固定面に前記サッシ枠を取り付け、
該サッシ枠と前記外装材とに跨る領域を化粧部材で化粧することを特徴とするサッシ枠の取付方法。
【請求項４】
前記サッシ枠の取付は、該サッシ枠と前記固定面との間に該サッシ枠の周囲から雨水が浸入することを防止する水密材を介在させて取り付けることを特徴とする請求項３記載のサッシ枠の取付方法。
【発明の詳細な説明】
【０００１】
【発明の属する技術分野】
この発明は、下地壁パネルと外装材とからなる二重壁の開口部に取り付けたサッシ枠の取付構造及びその取付方法に関する。
【０００２】
【従来の技術】
従来、下地壁パネルと外装材とからなる二重壁の開口部にサッシ枠を取り付けるための取付方法としては、下地壁パネルにサッシ枠を固定した後、サッシ枠にかぶるように外装材を貼り、外装材とサッシ枠との隙間をコーキングすることにより、外装材とサッシ枠との間から雨水が浸入することが防止されている（例えば、特許文献１参照。）。
【０００３】
【特許文献１】
特開２００２−３８８２６号公報（第３頁、図１）
【０００４】
【発明が解決しようとする課題】
しかしながら、上記の特許文献１に記載のサッシの取付構造では、コーキングを使用するので、取り付けのための施工工数が増大する。また、コーキングは一般に劣化し、また、変色すれば外観が見苦しくなる。
【０００５】
さらに、このようなサッシ枠の取付構造では、外装材の取付順序がサッシ枠の取付後になっている。それ故、外装材をサッシ枠より先に取り付けることができない。
【０００６】
ここで、ユニット建物を施工現場に搬送して、施工現場にて上下左右につないで組み立ててユニット建物に施工するユニット工法は、工期を短くして立て替えに有利である、施工精度が高く、高品質を維持しやすいなどの有利点があり、広く普及している。このようなユニット建物を構成する建物ユニットは工場にて生産されるが、工場での生産では生産性が重視される。外壁材のような大きな部位部材は、組立の早い段階で組み立てられるのが生産性を追求した場合に望まれる。
【０００７】
しかしながら、この特許文献１に記載のような構造では外壁材はサッシ枠の取付後でなければ取り付けることができなので、生産性が悪い。
【０００８】
そこで、本発明は、外壁材を取り付けた後にサッシ枠の取付が行えるサッシ枠の取付構造及び取付方法を提供することによりサッシ枠の取付構造及び取付方法の生産性を向上させることを目的とする。
【０００９】
また、本発明は、コーキング材を使用しなくても雨水の心配の無いサッシ枠の取付構造及び取付方法を提供することを目的とする。
【００１０】
【課題を解決するための手段】
前記課題を解決するため、本発明は、下地壁パネルと外装材とからなる二重壁の開口部に取り付けたサッシ枠の取付構造であって、前記外装材を前記下地壁パネルよりも後退させて配置することにより形成されたサッシ枠を固定するための固定面と、該固定面に、必要により水密材を介して、取り付けられた前記サッシ枠と、該サッシ枠と前記外装材とに跨って固定された化粧部材とからなることを特徴とするサッシ枠の取付構造である。
【００１１】
また、本発明は、下地壁パネルと外装材とからなる二重壁の開口部にサッシ枠を取り付けるサッシ枠の取付方法であって、前記外装材を前記開口部に向けて前記下地壁パネルよりも後退させて配置することにより屋外側に向けて開放された固定面を形成させ、該固定面に、必要により水密材を介して、前記サッシ枠を取り付け、前記サッシ枠と前記外装材とに跨る領域を化粧部材で化粧することを特徴とするサッシ枠の取付方法である。
【００１２】
これにより、本発明のサッシ枠の取付構造及び取付方法によれば、外装材を取り付けた後にサッシ枠を固定することができ、大量生産する場合の生産性の向上を図ることができる。
【００１３】
また、本発明のサッシ枠の取付構造及び取付方法によれば、水密材がサッシ枠と固定面との間に介在されているので、コーキング材を使用せずに水密を図ることができ、施工工数の削減が図れる。また、水密材はサッシ枠で覆い隠され、外部から視認されない。これにより、水密材が変色しても外観を損なうことがない。
【００１４】
これにより、コーキング材を使用しなくても雨水の心配の無いサッシ枠の取付構造及び取付方法を提供することができる。
【００１５】
【発明の実施の形態】
以下、本発明の具体的な実施の形態について、図面を用いて説明する。
【００１６】
図１及び図２は、本発明の実施の形態に係るサッシ枠が取り付けられる開口部を説明する図である。これらの図では、下地壁パネル１に固定された角材からなる取付枠２に囲まれて開口部３が形成されている。この開口部３に面して屋外側には合板などからなる内面材４が固定され、屋内側は内装材と同じ石膏ボードなどからなる額縁５（図１では額縁上枠５ａ、図２では額縁縦枠５ｂ）が固定されている。
【００１７】
また、この下地壁パネル１の外面材６の屋外側には防水紙７及びスペーサ８を介して外装材９が固定されている。これにより、この発明の外壁は、下地壁パネル１と外装材９とからなる二重壁から形成されている。
【００１８】
ここで本発明では、外装材９は下地壁パネル１よりも開口部３から後退して配置されている。これにより二重壁の一部が切り欠かれて下地壁パネル１の屋外側には外装材９のない開放空間１０が形成される。この開放空間１０はサッシ枠を取り付けるための空間であり、この開放空間１０を利用して開放空間に向けてアルミニウム製などのサッシ枠を固定するための固定面１１が形成されている。
【００１９】
ここで、この固定面１１は、防水紙７に形成されているが、外面材６が防水性で有れば、防水紙７を介さずに固定面１１は外面材６に直接設けられていてもよい。
【００２０】
そして、この固定面１１には適宜の固定部材を用いてサッシ枠が固定される。例えば、図３に示すように、額縁上枠５ａと内面材とに跨ってサッシ枠１４をタッピンねじなどの固定部材１６により固定する。
【００２１】
また、上枠用の上縁サッシ枠１２ａは丸木ねじの固定部材１５により固定面１１に固定される。このとき、この上縁サッシ枠１２ａと防水紙７との間に防水材１４を介することにより上縁サッシ枠１２ａの内側に雨水が浸入することを防止できる。ここで、この防水材１４としては、ゴム又はプラスチックなどの圧縮することにより潰れる棒状部材が例示され、この防水材１４を上縁サッシ枠１２ａで押しつぶすことにより圧縮されて上縁サッシ枠１２ａと防水紙７との間の水密性を保つことができる。
【００２２】
また、同様に、図４に示すように縦枠用の縦縁サッシ枠１２ｂが固定部材１５により固定面１１に固定される。このとき、この縦縁サッシ枠１２ｂと防水紙７との間に同様な防水材１４を介することにより縦縁サッシ枠１２ｂの内側に雨水が浸入することを防止できる。
【００２３】
また、上縁サッシ枠１２ａと外装材９とに跨って上縁サッシ枠１２ａと嵌合する上縁カバー１７ａを嵌合させて、リベットなどの固定部材１８により固定する。同様に、縦縁サッシ枠１２ｂと外装材９とに跨って縦縁サッシ枠１２ｂと嵌合する縦縁カバー１７ｂを嵌合させて、固定部材１８により固定する。開口部３のサッシ枠には、網戸１９、引違い戸２０，２１などが取り付けられる。
【００２４】
これにより、下地壁パネル１と外装材９とからなる二重壁の開口部３には、開口部３に向けて下地壁パネル１よりも後退させて外装材９が配置されて屋外側に向けて開放した固定面１１にはサッシ枠が取り付けられる。このサッシ枠と外装材９とに跨る領域はサッシ枠と嵌合するカバーで化粧されている。
【００２５】
これにより、本発明のサッシ枠の取付構造及び取付方法によれば、開口部３の外装材９を下地壁パネル１よりも後退させて配置することによりサッシ枠を固定するための固定面１１が形成され、この固定面１１にサッシ枠を固定するので、外装材を取り付けた後にサッシ枠を取り付けることができ、大量生産する場合の生産性の向上を図ることができる。
【００２６】
また、本発明のサッシ枠の取付構造及び取付方法によれば、水密材がサッシ枠と固定面との間に介在されているので、コーキング材を使用せずに水密を図ることができ、施工工数の削減が図れる。また、水密材はサッシ枠で覆い隠され、外部から視認されない。これにより、水密材が変色しても外観を損なうことがない。
【００２７】
これにより、コーキング材を使用しなくても雨水の心配の無いサッシ枠の取付構造及び取付方法を提供することができる。
【００２８】
これにより、本発明のサッシ枠の取付構造及び取付方法は、建物ユニットを工場にて大量生産する際に、外装材を先に取り付けた後にサッシ枠を固定することができるので、建物ユニットを大量生産する場合に特に好適である。
【００２９】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３０】
例えば、以上の発明の実施の形態では、建物の引違い戸について説明したがこれに限定されずに他の窓枠であっても同様の作用効果を奏することができる。
【００３１】
【発明の効果】
以上説明してきたように、本発明によれば、外壁材を取り付けた後にサッシ枠の取付が行えるサッシ枠の取付構造及び取付方法を提供することによりサッシ枠の取付構造及び取付方法の生産性を向上させることができる、という実用上有益な効果を発揮する。
【図面の簡単な説明】
【図１】本発明の実施の形態に係るサッシ枠が取り付けられる開口部の上縁を端面で説明する図である。
【図２】本発明の実施の形態に係るサッシ枠が取り付けられる開口部の縦縁を端面で説明する図である。
【図３】本発明の実施の形態に係るサッシ枠の取付構造の上縁付近を説明する図である。
【図４】本発明の実施の形態に係るサッシ枠が取付構造の縦縁付近を説明する図である。
【符号の説明】
１：下地壁パネル
２：取付枠
３：開口部
４：内面材
５：額縁
５ａ：額縁上枠
５ｂ：額縁縦枠
６：外面材
７：防水紙
８：スペーサ
９：外装材
１０：開放空間
１１：固定面
１２ａ：上縁サッシ枠
１２ｂ：縦縁サッシ枠
１４：防水材
１５：固定部材
１６：固定部材
１７ａ：上縁カバー
１７ｂ：縦縁カバー
１８：固定部材
１９：網戸
２０：引違い戸
２１：引違い戸
【図１】
2004346667.tif 000003
【図２】
2004346667.tif 000004
【図３】
2004346667.tif 000005
【図４】
2004346667.tif 000006